【手続補正書】
【提出日】平成28年1月28日(2016.1.28)
【手続補正１】
【補正対象書類名】明細書
【補正対象項目名】００３６
【補正方法】変更
【補正の内容】
【００３６】
撮像素子３１からの１ライン目の画素データのリード後、わずかなブランクを挟み水平同期信号のパルスが生成されると（タイミングｔ２）、２ライン目の画素データが、並列化部１１で並列データとなり、図４のようなセンサ入力ＩＮ１〜ＩＮ４としてＲＡＭ４１にライトされる。
【手続補正２】
【補正対象書類名】明細書
【補正対象項目名】００４１
【補正方法】変更
【補正の内容】
【００４１】
これに対して、第１の実施の形態の画像データ処理装置１０では、Ｎ×Ｎ個の記憶部１２，１２ａ，１２ｂを用いて、前述したようなライト及びリードの制御を行うことで、データ破壊の発生を抑制できる。また、記憶部１２ａ，１２ｂ以外の大部分の記憶部１２に１ポートＲＡＭを用いることができる。そのため、並列の画素データの並べ替え時のデータ破壊の発生を小規模な回路で抑制できる。
【手続補正３】
【補正対象書類名】明細書
【補正対象項目名】００４３
【補正方法】変更
【補正の内容】
【００４３】
撮像装置５０は、撮像部６０、画像データ処理装置７０を有している。
撮像部６０は、レンズや反射鏡などの撮像光学系６１、ＣＣＤ（Charge Coupled Device）などである撮像素子６２、アンプやフィルタ、ＡＤＣ（Analog to Digital Converter）などを含むアナログフロントエンド６３（図６ではＡＦＥと表記されている）を有する。
【手続補正４】
【補正対象書類名】明細書
【補正対象項目名】００４４
【補正方法】変更
【補正の内容】
【００４４】
画像データ処理装置７０は、たとえば、ＩＳＰであり、ＣＰＵ（Central Processing Unit）７１により各部が制御される。画像データ処理装置７０は、並列データ生成／処理部７２、色処理部７３、他画像処理部７４、表示インターフェース（以下表示Ｉ／Ｆと表記する）７５、メモリカードＩ／Ｆ７６、静止画コーデック部７７、ＤＭＡ（Direct Memory Access）調停部７８、ＳＤＲＡＭ（Synchronous Dynamic Random Access Memory）コントローラ７９を有している。また、並列データ生成／処理部７２、色処理部７３、他画像処理部７４、表示Ｉ／Ｆ７５、メモリカードＩ／Ｆ７６、静止画コーデック部７７は、ＤＭＡコントローラ７２ａ，７３ａ，７４ａ，７５ａ，７６ａ，７７ａを有しており、内部バス８０に接続されている。
【手続補正５】
【補正対象書類名】明細書
【補正対象項目名】００５５
【補正方法】変更
【補正の内容】
【００５５】
ＷＣＮＴカウント用レジスタ９１ｅは、比較部９１ｄがイネーブル信号をアサートするごとにカウント値ＷＣＮＴをインクリメントする。カウント値ＷＣＮＴは、ライトが行われるＲＡＭを示す。また、ＷＣＮＴカウント用レジスタ９１ｅは、Ｎ回ライトアドレスＷＡＤが閾値ＲＡＭＴＨに達すると１ライン分の書き込みが完了したことになるので、ライトイネーブル信号ＷＥＮをネゲートさせる。
【手続補正６】
【補正対象書類名】明細書
【補正対象項目名】００５７
【補正方法】変更
【補正の内容】
【００５７】
読み出し制御部９２は、ＲＥＮ生成部９２ａ、タイミング調整用カウンタ９２ｂ、ＡＮＤ回路９２ｃ、ＲＡＤカウント用レジスタ９２ｄ、比較部９２ｅ、ＲＣＮＴカウント用レジスタ９２ｆを有する。
【手続補正７】
【補正対象書類名】明細書
【補正対象項目名】００６２
【補正方法】変更
【補正の内容】
【００６２】
ＲＣＮＴカウント用レジスタ９２ｆは、比較部９２ｅがイネーブル信号をアサートするごとにカウント値ＲＣＮＴをインクリメントする。カウント値ＲＣＮＴは、リードが行われるＲＡＭを示す。また、ＲＣＮＴ用レジスタ９２ｆは、Ｎ回、リードアドレスＲＡＤが閾値ＲＡＭＴＨに達すると読み出しが完了したことになるので、リードイネーブル信号ＲＥＮをネゲートさせる。
【手続補正８】
【補正対象書類名】明細書
【補正対象項目名】００６５
【補正方法】変更
【補正の内容】
【００６５】
入力信号制御部９０ｂは、ＳＴＡＴＥカウント用レジスタ９１ａの３ビットのカウント値ＳＴＡＴＥを入力する。また、入力信号制御部９０ｂは、ＷＣＮＴカウント用レジスタ９１ｅの２ビットのカウント値ＷＣＮＴ、ＲＣＮＴカウント用レジスタ９２ｆの２ビットのカウント値ＲＣＮＴ、ライトイネーブル信号ＷＥＮ、リードイネーブル信号ＲＥＮを入力する。入力信号制御部９０ｂは、これらの信号をもとに、それぞれ４ビットの、ライト用の列選択信号ＷＳＥＬ＿Ｃ、行選択信号ＷＳＥＬ＿Ｌ、リード用の列選択信号ＲＳＥＬ＿Ｃ、行選択信号ＲＳＥＬ＿Ｌを生成して出力する。
【手続補正９】
【補正対象書類名】明細書
【補正対象項目名】００６９
【補正方法】変更
【補正の内容】
【００６９】
たとえば、カウント値ＳＴＡＴＥが“００１”のときは、ライト用の列選択信号ＷＳＥＬ＿Ｃは“１０００”、行選択信号ＷＳＥＬ＿Ｌは、カウント値ＷＣＮＴとなる。また、リード用の列選択信号ＲＳＥＬ＿Ｃは、カウント値ＲＣＮＴ、行選択信号ＲＳＥＬ＿Ｌ“１１１１”となる。
【手続補正１０】
【補正対象書類名】明細書
【補正対象項目名】００８２
【補正方法】変更
【補正の内容】
【００８２】
ＲＡＭＩ／Ｆ１２０は、ＡＮＤ回路１２１，１２２、ＯＲ回路１２３、インバータ回路１２４、ビット連結回路１２５、選択回路１２６を有している。
ＡＮＤ回路１２１の２つの入力端子には、ライト用の列選択信号ＷＳＥＬ＿Ｃと行選択信号ＷＳＥＬ＿Ｌが入力される。ＡＮＤ回路１２２の２つの入力端子には、リード用の列選択信号ＲＳＥＬ＿Ｃと行選択信号ＲＳＥＬ＿Ｌが入力される。ＯＲ回路１２３の２つの入力端子には、ＡＮＤ回路１２１，１２２の出力信号が入力され、ＯＲ回路１２３の出力信号は、ＲＡＭ１００のチップイネーブル端子ＣＥに入力される。インバータ回路１２４には、ＡＮＤ回路１２１の出力信号が入力され、インバータ回路１２４の出力信号は、ＲＡＭ１００のライトイネーブル端子ＷＥに入力される。
【手続補正１１】
【補正対象書類名】明細書
【補正対象項目名】００８３
【補正方法】変更
【補正の内容】
【００８３】
ビット連結回路１２５は、ＡＮＤ回路１２１，１２２の出力信号を連結して２ビットの選択信号を選択回路１２６に供給する。選択回路１２６は、ライトアドレスＷＡＤとリードアドレスＲＡＤと値“０”を入力し、入力される選択信号が“１０”のときにはライトアドレスＷＡＤを出力し、選択信号が“０１”のときにはリードアドレスＲＡＤを出力する。また、選択回路１２６は、選択信号が“１０”，“０１”以外の値ｄｅｆのときには、“０”を出力する。選択回路１２６の出力信号は、ＲＡＭ１００のアドレス端子ＩＡに入力される。その他、ＲＡＭ１００のクロック端子ＣＫには、図示しないクロック供給部からのクロックＳＲＯＣＬＫが入力され、ライトデータ入力端子Ｉには、入力データＤＩが入力される。また、ＲＡＭ１００のリードデータ出力端子Ａから読み出されたリードデータは、出力信号制御部９０ｃに供給される。
【手続補正１２】
【補正対象書類名】明細書
【補正対象項目名】０１１６
【補正方法】変更
【補正の内容】
【０１１６】
一方、４行目のＲＡＭ１１２〜１１５に対するライトが完了し、次に、タイミングｔ２０において、水平同期信号のパルスが生成されると、９ライン目の画素データが、リードが完了した１列目のＲＡＭ１００，１０４，１０８，１１２に順にライトされる。つまり、ライトされるＲＡＭの選択方向が、行方向から列方向に変わる。
【手続補正１３】
【補正対象書類名】明細書
【補正対象項目名】０１２６
【補正方法】変更
【補正の内容】
【０１２６】
ＲＡＭに関してはプロセスによりサイズが異なるが、一例として６５ｎｍテクノロジー、水平方向最大サイズ＝６７８４画素、１画素＝１４ビットとしたとき、１ライン分の１Ｒ１Ｗの容量は７Ｍバイトである。たとえば、２並列処理を行う場合に、２ライン分の１Ｒ１ＷのＲＡＭを用いると、７×２＝１４Ｍバイトの容量となる。４並列処理を行う場合に、データ破壊を回避するために、６ライン分の画素データを保持するように、１Ｒ１ＷのＲＡＭを６つ使用すると、７×６＝４２Ｍバイトの容量となる。
【手続補正１４】
【補正対象書類名】明細書
【補正対象項目名】０１２７
【補正方法】変更
【補正の内容】
【０１２７】
これに対し、本実施の形態の画像データ処理装置７０において４並列処理を行う場合、ＲＡＭ１００〜１１５は、それぞれ１／４ライン分の画素データを保持し、容量は１Ｒ１ＷのＲＡＭで１．７Ｍバイト、１ＲＷのＲＡＭで０．９Ｍバイトとなる。前述したように１６個のＲＡＭ１００〜１１５のうち、ＲＡＭ１０３，１１２以外は、１ＲＷのＲＡＭを適用できるので、トータルの容量は、１．７×２＋０．９×１４＝１６Ｍバイトとなる。このように、１Ｒ１ＷのＲＡＭを６つ使用する場合よりも大幅に、ＲＡＭ容量を削減でき、面積を小さくすることができる。また、２並列処理を行うために、２ライン分の１Ｒ１ＷのＲＡＭを使う場合に対しても、４並列処理を行っても、本実施の形態の画像データ処理装置７０によれば１４％の容量増加に抑えることができる。
【手続補正１５】
【補正対象書類名】図面
【補正対象項目名】図１１
【補正方法】変更
【補正の内容】
【図１１】
2014229227.tif 000001
【手続補正１６】
【補正対象書類名】図面
【補正対象項目名】図１２
【補正方法】変更
【補正の内容】
【図１２】
2014229227.tif 000002
【手続補正１７】
【補正対象書類名】図面
【補正対象項目名】図１９
【補正方法】変更
【補正の内容】
【図１９】
2014229227.tif 000003